(57)【特許請求の範囲】
【請求項１】
傾斜する屋根の高い側に配置されて、屋根の傾斜方向と直角の方向を長手方向として配置される後座板と、屋根の低い側に配置されて、屋根の傾斜方向と直角の方向を長手方向として配置される前座板と、後座板と前座板との間に架け渡された、エアコン室外機を載置する支持部材と、この支持部材を後座板に取り付ける締結具としてのボルト及びナットとを有し、
前記後座板は、略水平に形成された取付壁部と、屋根と接触する曲面状の接触部を部分的に備えるとともに、後端が取付壁部に連結された接触壁部と、取付壁部の前端と接触壁部の前端とを連結するように鉛直に形成された連結壁部とにより筒状体に形成され、
前記取付壁部には長手方向に延びる溝部が一体的に形成され、
この溝部は、前記取付壁部の内部側に形成されたものであって、前記ボルトの頭部又はナットを長手方向に摺動可能に収納する摺動部と、前記ボルトのねじ部が前記取付壁部を貫通するスリットとを有し、
前記支持部材は、後端部において前記ボルトにより前記取付壁部の溝部に固定されてなる
ことを特徴とするエアコン室外機の屋根置台。
【請求項２】
前記ボルトを六角ボルトとするとともに、前記摺動部の幅寸法を、六角ボルトの頭部の平行側面間の長さより大きく、かつ、六角ボルトの頭部の対角間の長さより小さく形成し、また、前記摺動部の高さを、六角ボルトの頭部の厚みより大きく、かつ、六角ボルトの頭部の平行側面間の長さより小さくした
ことを特徴とする請求項１記載のエアコン室外機の屋根置台。
【請求項３】
前記溝部は、取付壁部と連結壁部とが連結される角部に形成されていることを特徴とする請求項１又は２記載のエアコン室外機の屋根置台。
【請求項４】
前記後座板の接触壁部は、連結壁部より前方に突出した第１突出部と、取付壁部より上方に突出した第２突出部とを有し、前記接触壁部における屋根との接触部には、接触壁部の外表面を覆う屋根足がこれら突出部に係合されて取り付けられていることを特徴とする請求項３記載のエアコン室外機の屋根置台。
【請求項５】
前記後座板は、第２突出部に建築物の壁面に対し直付けするための孔が形成されていることを特徴とする請求項４記載のエアコン室外機の屋根置台。
【請求項６】
前記後座板は、長手方向を押出方向として押出成型されたものであり、前記溝部は全長に亘って形成されていることを特徴とする請求項１〜５の何れか１項に記載のエアコン室外機の屋根置台。
【請求項７】
前記前座板は、前記後座板と同一のものであって、前後の向きを変更して使用したものであり、前記支持部材は、エアコン室外機を載置するベースとこのベースの前端側を支持するステーとを有し、ベースの後端部が後座板に取り付けられ、ベースの前端部がステーの上端部に取り付けられ、ステーの下端部が前座板に取り付けられていることを特徴とする請求項１〜６の何れか１項に記載のエアコン室外機の屋根置台。
【発明の詳細な説明】
【技術分野】
【０００１】
本発明は、エアコン室外機の屋根置台に関し、特に、屋根の高い側に取り付けられる後座板と、屋根の低い側に取り付けられる前座板と、後座板と前座板との間に架け渡される一対の支持部材とを備えたエアコン室外機の屋根置台に関する。
【背景技術】
【０００２】
従来、エアコン室外機の屋根置台として、屋根の高い側に取り付けられる後座板と、屋根の低い側に取り付けられる前座板と、後座板と前座板との間に架け渡されるエアコン室外機を載置する支持部材とを備えたものが知られている。この場合における支持部材は、一般的には、エアコン室外機を載置する水平に配置されるベースと、このベースの前端部を下方から支持するためのステーとを備えていた。また、このようなエアコン室外機の屋根置台においては、後座板及び前座板は、屋根に対する接触部が異なる傾斜角度の屋根Ｒに対し常に一定となるように構成されていた。また、このような構成とするために、ベースの後端部を後座板に対し回動可能に連結するとともに、ステーの下端部を前座板に回動可能に連結することが一般的に行われていた。このようなものとしては、例えば、特許文献１がある。
【０００３】
ところが、近年、支持部材と後座板との取付構造及び支持部材と前座板との取付構造を簡略化してコスト軽減を図ったものが出回り始めている。これらのものでは、上記各取付構造を回動可能な構造としないで単に固定するようにしている。このようなものとしては、例えば、非特許文献１に記載されたものがある。これを図１３乃至図１５に基づき説明する。なお、本明細書においては、屋根の低い側を前とし、屋根の高い側を後として説明する。
【０００４】
図１３は、エアコン室外機の屋根置台の据付状態における斜視図である。この図に示すように、この屋根置台では、後座板１０１、前座板１０２及び一対の支持部材１０３を備えている。後座板１０１は、傾斜する屋根Ｒの高い側に配置されるものであって、屋根Ｒの傾斜方向と直角方向を長手方向として配置されている。また、前座板１０２は、屋根Ｒの低い側に配置されるものであって、屋根Ｒの傾斜方向と直角方向を長手方向として配置されている。さらに、一対の支持部材３は、エアコン室外機を載置するものであって、後座板１０１と前座板１０２との間に架け渡されている。この支持部材１０３は、エアコン室外機を載置するベース１０４と、このベース１０４の前端側を支持するステー１０５と、屋根の傾斜角度に対応してベース１０４とステー１０５との角度を設定するとともに支持部材１０３の補強部材として機能する調整板１０６とから形成されている。
【０００５】
後座板１０１は、図１４に示すように、鉛直に形成された鉛直部１１１ａと屋根Ｒ上に延びる先端部１１１ｂとを円弧状の曲面部１１１ｃで連結した形状を成す接触壁部１１１を有している。この接触壁部１１１は、曲面部１１１ｃで屋根Ｒに接触するように構成されている。また、後座板１０１は、この屋根Ｒ上に延びる先端部１１１ｂから上方に立ち上げられた前後一対の壁部１１２、１１３により前後が支持された溝部１１４を有している。溝部１１４は、ベース取付用のボルト１１５の頭部１１５ｂを長手方向に摺動可能に収納する摺動部１１４ｂと、この摺動部１１４ｂの上方に形成された、ボルト１１５のねじ部１１５ａを上方に突出させるスリット１１４ａとからなる。このように取り付けられたボルト１１５を所定位置に摺動し、ナット１１６を締結することにより、支持部材１０３が後座板１０１に取り付けられている。なお、後座板１０１には、屋根Ｒとの接触部に屋根足１１７が取り付けられている。
【０００６】
前座板１０２は、この後座板１０１と同一のものであって、前後方向の向きを変えて屋根Ｒ上に載置されている。前座板１０２は、図１３及び図１５に示すように、接触壁部１２１、壁部１２２、壁部１２３、溝部１２４、ボルト１２５、ナット１２６及び屋根足１２７を有している。これらは、それぞれ後座板１における接触壁部１１１、壁部１１２、壁部１１３、溝部１１４、ボルト１１５、ナット１１６、屋根足１１７に該当する。また、接触壁部１２１の構成要素である鉛直部１２１ａ、曲面部１２１ｃ、先端部１２１ｂは、それぞれ接触壁部１１１の構成要素である鉛直部１１１ａ、曲面部１１１ｃ、先端部１１１ｂに該当する。また、溝部１２４のスリット１２４ａ及び摺動部１２４ｂは、溝部１１４のスリット１１４ａ及び摺動部１１４ｂに該当する。さらに、ボルト１２５のねじ部１２５ａ及び頭部１２５ｂは、ボルト１１５のねじ部１１５ａ及び頭部１１５ｂに該当する。ただし、前座板１０２における溝部１２４には、後述するようにステー１０５の下端部が取り付けられる。このため、前座板１０２は、溝部１２４のスリット１２４ａを開口する表面がステー１０５の取付角度に一致するように側面から見た屋根Ｒに対する角度が設定されている。したがって、この角度は、ステー１０５の傾斜角度の変化と共に変わることになる。
【０００７】
支持部材１０３を構成するベース１０４は、図１３に示すように、上面を形成する帯状の平面壁部１４１とこの平面壁部１４１の幅方向両側に形成された側面壁部１４２とを有し、下方を開放した形状に形成されている。平面壁部１４１には、防振材取付用の長孔１４４が形成され、この長孔１４４にエアコン室外機を載置する防振材（図示せず）が取り付けられる。
【０００８】
また、ベース１０４の後端部には、支持部材３を後座板１０１に取り付けるための取付部１４５が形成されている。取付部１４５は、図１４に示すように、側面壁部１４２を階段状に切り欠いている。これにより、側面壁部１４２に高さ方向の段差１４６を形成して側面壁部１４２の高さを低くした低壁部１４２ａを形成している。また、取付部１４５は、低壁部１４２ａを形成する切込部分１４６ａで溝部１１４を挟み込むように、溝部１１４の上面に載置される。また、ベース１０４の固定のために、取付部１４５の平面壁部１４１にはボルト孔１４７が形成されている。取付部１４５を固定するときは、先ず切込部分１４６ａで溝部１１４を挟み込む。これにより、平面壁部１４１が低壁部１４２ａを介して、溝部１１４のスリット１１４ａを上方から塞ぐように載置される。このとき、溝部１１４の摺動部１１４ｂ内に頭部１１５ｂが収納されたボルト１１５のねじ部１１５ａを、平面壁部１４１のボルト孔１４７に挿通させ、上部からナット１１６を締結する。これにより、ベース１０４の取付部１４５が後座板１０１に取り付けられる。
【０００９】
ステー１０５は、ベース１０４の前端部を下方から支持するものであって、その上端部がベース１０４の前端部に回動可能に取り付けられている。また、ステー１０５は、断面形状がＨ型であって、Ｈ型の中央に形成される中間壁部１５１とその両側に垂設される側面壁部１５２とを備えている。また、ステー１０５は、中間壁部１５１の平面が前方を向くように配置されている。さらに、ステー１０５の右側の側面壁部１５２には溝部１５３が形成されている。この溝部１５３は、調整板１０６をステー１０５の長手方向の適宜の位置で固定するためのものであって、表面部にスリット１５３ａを有し、その内部に調整板取付用のボルト１５８の頭部を長手方向に摺動可能に収納する摺動部１５３ｂが形成されている。
【００１０】
また、ステー１０５の下端部には、支持部材３を前座板１０２に取り付けるための取付部１５４が形成されている。取付部１５４は、図１５に示すように、Ｈ型を形成する両側面壁部１５２を方形状に切り欠くことにより、側面壁部１５２に高さ方向の段差１５５を形成して側面壁部１５２の高さを低くした低壁部１５２ａを形成する。そして、この取付部１５４に位置する中間壁部１５１にボルト孔１５６が形成されている。このように構成された取付部１５４により、ステー１０５の下端部は前述のベース１０４の前端部と類似の構造で前座板１０２に取り付けられている。すなわち、側面壁部１５２で前座板１０２の溝部１２４を挟むとともに、中間壁部１５１が溝部１２４のスリット１２４ａを覆うように、低壁部１５２ａを前座板１０２のスリット１２４ａを開口する面に沿わせる。このとき、溝部１２４内に収納されたボルト１２５のねじ部１２５ａを中間壁部１５１のボルト孔１５６に挿通させ、後方からナット１２６を締結することにより、取付部１５４、すなわち、ステー１０５の下端部が前座板１０２に取り付けられる。
【００１１】
調整板１０６は、後端部がベース１０４の後端部にボルト１５７により回動可能に取り付けられ、前端部がステー１０５の側面の溝部１５３にボルト１５８により回動可能に取り付けられている。そして、調整板１０６は、このステー１０５の側方の溝部１５３に取り付けられる調整板１０６の位置を変更することにより、屋根Ｒの傾斜に対応してステー１０５の角度を変更してベース１０４を水平に保持するように構成されている。
【００１２】
以上のように構成された屋根置台は、図１３に示すように、針金１６１により建築物の壁面に繋留して保持されている。
【特許文献１】特開２００３−１８５１９２号公報
【非特許文献１】”クーラーキャッチャー  Ｃ−ＹＵＧ−ＡＬ型据付説明書”、株式会社キャッチャー、２００５年２月
【発明の開示】
【発明が解決しようとする課題】
【００１３】
上記構成の従来の屋根置台は、ベース１０４が後座板１０１に対し回動可能に取り付けられていないが、屋根Ｒの傾斜角度の相違に対して、次のように対応している。従来の屋根置台は、後座板１０１においては、屋根Ｒの接触部を変化させている。また、従来の屋根置台は、前座板１０２においては、前座板１０２の長手方向を軸とする前座板１０２の水平面に対する傾斜角度を変化させるとともに、屋根Ｒとの接触部を変化させている。このようにして、従来の屋根置台は、ベース１０４と後座板１０１との取り付け周りの構造が簡略化され、部品点数が少なくなっている。したがって、それ以前の屋根置台に比し、コストを低減することが可能である。しかし、後座板１０１は、１枚の接触壁部１１１の上方に溝部１１４を連結した構造であるので、屋根Ｒと接触する曲面部１１１ｃに大きな応力が作用して変形するという懸念があった。なお、この点については、後座板１０１と同一の部品が使用されている前座板１０２についても同様の問題があった。
【００１４】
本発明は、従来品のこのような問題に鑑み成されたものであって、後座板を筒状体とし、その上部に取付部を形成することにより、後座板の構造を簡略化するとともにその強度を向上させたエアコン室外機の屋根置台を提供することにある。
【課題を解決するための手段】
【００１５】
本発明に係るエアコン室外機の屋根置台は、傾斜する屋根の高い側に配置されて、屋根の傾斜方向と直角の方向を長手方向として配置される後座板と、屋根の低い側に配置されて、屋根の傾斜方向と直角の方向を長手方向として配置される前座板と、後座板と前座板との間に架け渡された、エアコン室外機を載置する支持部材と、この支持部材を後座板に取り付ける締結具としてのボルト及びナットとを有する。また、前記後座板は、略水平に形成された取付壁部と、屋根と接触する曲面状の接触部を部分的に備えるとともに、後端が取付壁部に連結された接触壁部と、取付壁部の前端と接触壁部の前端とを連結するように鉛直に形成された連結壁部とにより筒状体に形成されている。また、前記取付壁部には長手方向に延びる溝部が一体的に形成されている。この溝部は、前記取付壁部の内部側に形成されたものであって、前記ボルトの頭部又はナットを長手方向に摺動可能に収納する摺動部と、前記ボルトのねじ部が前記取付壁部を貫通するスリットとを有している。そして、前記支持部材は、後端部において前記ボルトにより前記取付壁部の溝部に固定されている。
【００１６】
このように構成された本発明に係るエアコン室外機の屋根置台によれば、前記後座板は、略水平に形成された取付壁部と、屋根と接触する曲面状の接触部を部分的に備えるとともに、後端が取付壁部に連結された接触壁部と、取付壁部の前端と接触壁部の前端とを連結するように鉛直に形成された連結壁部とにより筒状体に形成されている。したがって、簡略化された構成で強度の大きい筒状体が形成されるので、後座板の強度が向上し、後座板の変形の可能性が軽減される。また、前記取付壁部には長手方向に延びる溝部が一体的に形成されている。また、この溝部は、前記取付壁部の内部側に形成されたものであって、前記ボルトの頭部又はナットを長手方向に摺動可能に収納する摺動部と、前記ボルトのねじ部が前記取付壁部を貫通するスリットとを有し、さらに、前記支持部材が、後端部において前記ボルトにより前記取付壁部の溝部に固定されている。したがって、後座板は、溝部が一体的に構成されていることにより、より一層強度が向上する。また、後座板は、屋根角度が変化しても、接触壁部における屋根との接触部を変化させることにより取付壁部が常に水平に維持されている。このため、後座板と支持部材との取付角度を屋根の傾斜角度に対応して変更させる必要がなく、支持部材の構成及び取付構造が簡素化されている。
【００１７】
また、上記構成において次のように構成することもできる。すなわち、前記ボルトを六角ボルトとする。また、前記摺動部の幅寸法を、六角ボルトの頭部の平行側面間の長さより大きく、かつ、六角ボルトの頭部の対角間の長さより小さく形成するとともに、前記摺動部の高さを、六角ボルトの頭部の厚みより大きく、かつ、六角ボルトの頭部の平行側面間の長さより小さくする。このように構成すれば、六角ボルトが溝部内で向きを変えることができなくなっているので、ボルトのねじ部をスリットから上方に突出させながら、ボルトを容易に長手方向に移動させることができる。
【００２０】
また、前記溝部を取付壁部と連結壁部とが連結される角部に形成するのが好ましい。このようにすれば、溝部を取付壁部及び連結壁部との一体化構造として、取付壁部と連結壁部との連結部の強度を向上させることができる。したがって、後座板の強度をさらに向上させ、より一層後座板の変形の可能性を軽減することができる。
【００２１】
また、前記後座板の接触壁部に、連結壁部より前方に突出した第１突出部と、取付壁部より上方に突出した第２突出部とを設け、この接触壁部における屋根との接触部に、接触壁部の外表面を覆う屋根足を、これら突出部に係合させて取り付けるようにすることもできる。このようにすれば、複雑な係合部を形成することなく屋根足を取り付けることができる。
【００２２】
また、前記後座板は、第２突出部に建築物の壁面に対し直付けするための孔を形成するようにしてもよい。このようにすれば、第１突出部を上方に伸ばすという簡単な構成で後座板を建築物の壁面に直接取り付けることもできるようになる。
【００２３】
また、前記溝部を取付壁部の長手方向の全長に亘って形成するようにすれば、前記後座板を長手方向を押出方向として押出成型したものとすることができる。このように、押出成形品とすれば、見栄えが向上する。
【００２４】
前記前座板は、前記後座板と同一のものであって、前後の向きを変更して使用したものであり、前記支持部材は、エアコン室外機を載置するベースとこのベースの前端側を支持するステーとを有し、ベースの後端部が後座板に取り付けられ、ベースの前端部がステーの上端部に取り付けられ、ステーの下端部が前座板に取り付けられる構造としてもよい。このようにすれば、前座板と後座板とを別個に生産管理する必要がなく、コストを低減することができる。
【発明の効果】
【００２５】
本発明に係るエアコン室外機の屋根置台によれば、後座板は、略水平に形成された取付壁部と、屋根と接触する曲面状の接触部を部分的に備えるとともに、後端が取付壁部に連結された接触壁部と、取付壁部の前端と接触壁部の前端とを連結するように鉛直に形成された連結壁部とにより筒状体に形成されている。したがって、簡略化された構成で強度の大きい筒状体が形成され、後座板の強度が向上されて後座板の変形の可能性が軽減される。また、前記取付壁部には長手方向に延びる溝部が一体的に形成されるとともに、この溝部が前記取付壁部の内部側に形成されているので、後座板の強度がより一層向上する。また、後座板は、屋根角度が変化しても、接触壁部における屋根との接触部を変化させることにより取付壁部が常に水平に維持される。また、支持部材が、後端部において水平の取付壁部の溝部に固定されているため、支持部材の構成及び後端部の取付構造が簡素化される。
【発明を実施するための最良の形態】
【００２６】
（実施の形態１）
以下、本発明を具体化した実施の形態１に係るエアコン室外機の屋根置台を図面に基づいて説明する。実施の形態１に係るエアコン室外機の屋根置台は、エアコン室外機を、長手方向が屋根の傾斜方向と直角の方向となるように設置するものである。このエアコン室外機の屋根置台は、図１の本実施の形態に係るエアコン室外機の据付状態の斜視図に示すように、後座板１と、前座板２と、一対の支持部材３とを有している。後座板１は、屋根Ｒの高い側に配置されて、屋根Ｒの傾斜方向と直角方向を長手方向として配置される。前座板２は、屋根Ｒの低い側に配置されて、屋根Ｒの傾斜方向と直角方向を長手方向として配置される。支持部材３は、エアコン室外機を載置するものであって、後座板１と前座板２との間に架け渡される。また、支持部材３は、エアコン室外機を載置するベース４とこのベース４の前端側を支持するステー５と、ベース４の前端部とステー５の下端部との間に架け渡される補強部材６とから形成されている。
【００２７】
後座板１は、図２、図３、図５及び図６に示すように、略水平に形成された取付壁部１１と、屋根Ｒと接触する接触部を部分的に備えるとともに、後端が取付壁部１１に連結された接触壁部１２と、取付壁部１１の前端と接触壁部１２の前端とを連結するように鉛直に形成された連結壁部１３とにより筒状体に形成されている。
【００２８】
取付壁部１１は、支持部材３の後端部、すなわち、ベース４の後端部を上面に取り付けるために、上面は帯状の平面に形成されている。そして、この取付壁部１１には長手方向に延びる溝部１４が形成されている。溝部１４は、ベース４を取り付ける締結具としてのボルト１５の頭部１５ｂを長手方向に摺動可能に収納する摺動部１４ｂと、この摺動部１４ｂの上部に形成されたボルト１５のねじ部１５ａを上方空間に突出させるスリット１４ａとを有している。ボルト１５としては六角ボルトが使用されている。摺動部１４ｂは、この六角ボルトの頭部１５ｂを長手方向に摺動可能とする断面四角形の空間に形成されている。
【００２９】
スリット１４ａは、ボルト１５のねじ部１５ａを上方向に突出させることができ、ボルト１５の頭部１５ｂが上方にはみ出さないようにするものである。このために、スリット１４ａの幅は、ボルト１５のねじ径よりは少し大きく形成され、ボルト１５の頭部１５ｂの平行側面間の長さより小さく形成されている。また、摺動部１４ｂの幅寸法は、ボルト１５の頭部１５ｂの平行側面間の長さより大きく、ボルト１５の頭部１５ｂの対角間の長さより小さく形成されている。また、摺動部１４ｂの高さ寸法は、ボルト１５の頭部１５ｂの厚みより大きく、ボルト１５の頭部１５ｂの平行側面間の長さより小さく形成されている。このような摺動部１４ｂ及びスリット１４ａを形成する溝部１４は、スリット１４ａを取付壁部１１の上面に開口するとともに、後座板１の長手方向全長に亘って形成されている。また、溝部１４は、摺動部１４ｂが筒状体の内側となるように取付壁部１１において内側に突出するように形成されるとともに、取付壁部１１と連結壁部１３とを連結する角部位置に形成されている。この結果、溝部１４を構成する壁体と、取付壁部１１の前端部及び連結壁部１３の上端部を形成する壁体とが一体化されて形成されている。
【００３０】
後座板１の接触壁部１２は、部分的に屋根Ｒに接触して支持されるものであって、取付壁部１１の後端側に連結され、取付壁部１１と一体的に形成されている。この接触壁部１２は、取付壁部１１に連結される部分では鉛直に形成され、この鉛直に形成された鉛直部１２ａの下方は円弧状の曲面部１２ｂに形成され、さらに、この曲面部１２ｂの先端を屋根Ｒに延ばし、その先端部１２ｃで連結壁部１３に連結されている。そして、上記曲面部１２ｂが屋根に接触する部分を成している。
【００３１】
連結壁部１３は、取付壁部１１の前端と接触壁部１２の前端とを連結するように、取付壁部１１の前端から下方に向けて鉛直に形成されている。また、その高さは、後述するベース４の前端部における側面壁部４２の段差４７の高さ寸法と一致するように形成されている。なお、接触壁部１２には、連結壁部１３より前方に突出した第１突出部１７と、取付壁部１１より上方に突出した第２突出部１８とが形成されている。
【００３２】
また、後座板１には、屋根Ｒとの接触部に屋根足１９が取り付けられる。屋根足１９は、後座板１が瓦の上に載置されることにより瓦を損傷させないようにするためのクッション機能を有する、樹脂製の保護具である。この実施の形態における屋根足１９は、図３に示すように、両端にＵ字状に折り曲がった係合部が形成され、この係合部が前述の第１突出部１７及び第２突出部１８に係合することにより、後座板１に取り付けられている。また、この屋根足１９は、屋根Ｒ上における滑り止め効果が良好となるように、表面が側方から見て波状に形成されている。
【００３３】
前座板２は、この後座板１と同一のものであって、前後方向の向きを変えて屋根Ｒ上に載置されている。前座板２は、図１、図２及び図４に示すように、取付壁部２１、接触壁部２２、溝部２４と、ボルト２５、ナット２６、屋根足２９を有している。これらは、それぞれ後座板１における取付壁部１１、接触壁部１２、溝部１４、ボルト１５、ナット１６、屋根足１９に該当する。また、接触壁部２２の構成要素である鉛直部２２ａ、曲面部２２ｂ、先端部２２ｃ、第１突出部２７及び第２突出部２８は、それぞれ接触壁部１２の構成要素である鉛直部１２ａ、曲面部１２ｂ、先端部１２ｃ、第１突出部１７及び第２突出部１８に該当する。また、溝部２４のスリット２４ａ及び摺動部２４ｂは、それぞれ溝部１４のスリット１４ａ及び摺動部１４ｂに該当する。さらに、ボルト２５のねじ部２５ａ及び頭部２５ｂは、ボルト１５のねじ部１５ａ及び頭部１５ｂに該当する。ただし、前座板２における溝部２４には、後述するように支持部材３の前端部、すなわち、ステー５の下端部が取り付けられる。このため、前座板２は、溝部２４のスリット２４ａを開口する表面がステー５の取付角度に一致するように屋根Ｒに対する角度が設定される。したがって、この角度は、ステー５の傾斜角度の変化とともに変化する。
【００３４】
支持部材３を構成するベース４は、図１及び図２に示すように、後座板１から前方に伸びるように配置されている。このベース４は、図１、図２、図３及び図７に示すように、水平に配置された平面状かつ帯状の平面壁部４１と、この平面壁部４１の幅方向の側方に鉛直下方向に垂設された側面壁部４２とを備えている。また、平面壁部４１の下面側には、図３及び図７に示すように、高さの小さい２本のリブ４３が長手方向に延びるように形成されている。また、平面壁部４１には、図１に示すように、エアコン室外機の防振材４４を取り付けるための長孔４５が前後２箇所に形成されている。
【００３５】
また、ベース４の後端部には、支持部材３を後座板１に取り付けるための第１取付部４６が形成されている。第１取付部４６は、図３に示すように、ベース４の後端部において、側面壁部４２を方形状に切り欠いて側面壁部４２に高さ方向の段差４７を形成し、これにより、側面壁部４２の高さを低くした低壁部４２ａを形成したものである。さらに、第１取付部４６は、この低壁部４２ａを取付壁部１１の上方に載置し、この低壁部４２ａを介して平面壁部４１の端部を取付壁部１１に固定するように構成されている。なお、支持部材３（ベース４）を安定的に固定するために、低壁部４２ａの高さとリブ４３の高さとは揃えられており、第１取付部４６の平面壁部４１にはボルト孔４８が形成されている。
【００３６】
第１取付部４６を固定するときは、溝部１４のスリット１４ａを上方から覆うように、低壁部４２ａ及びリブ４３を介して第１取付部４６の平面壁部４１を溝部１４上に載置する。このとき、溝部１４の摺動部１４ｂ内に頭部１５ｂが収納されたボルト１５のねじ部１５ａを、このボルト孔４８に挿通させ、上部からナット１６を締結する。これにより、ベース４の後端部が後座板１に取り付けられる。また、このような取付状態においては、第１取付部４６近傍の側面壁部４２の下端面が接触壁部１２の第１突出部に当接して支持され、さらに、第１取付部４６の段差４７を成す側面壁部４２の後端面が連結壁部１３の外表面に当接して支持されるように形成されている。
【００３７】
支持部材３を構成するステー５は、傾斜角度の異なる屋根Ｒにおいて、ベース４を常に水平状に支持するためのものである。このために、ステー５は、その長さを調節可能とするとともに、ベース４との取付角度を可変とするように構成されている。
【００３８】
すなわち、ステー５は、長さを調節可能とする構成として、図１及び図２に示すように、上ステー７と、この上ステー７を前面から覆うように構成された下ステー８とから構成されている。上ステー７は、図１に示す状態における背面を開放側とした断面形状がＵ字型（図８参照）の型材により形成され、前面壁部７１の背部に２本のリブ７２が長手方向に延びるように形成されている（図８参照）。なお、ステー５は、屋根Ｒの傾斜角度が緩いときには、図１０のような状態となるので、図１における背面は下方を向いた背面となる。また、リブ７２は、図８に示すように、先端部が互いに向き合う方向に折り曲げられている。この折り曲げられた空間には、上ステー７と下ステー８との取付用のナット（図示せず）がリブ７２により回転が阻止される状態となって収納される。また、上ステー７の下方部にはボルト７４を挿通させるためのボルト孔７３が形成されている（図８参照）。また、上ステー７の上端部は、図１、図２及び図１０に示すように、ベース４の前端部における側面壁部４２に挟持されるとともに、上ステー７とベース４との角度を可変とするように回動可能にボルト止めされている。
【００３９】
下ステー８は、上ステー７を前方から覆うように組み立てるために、上ステー７と同様のＵ字型断面形状であって、一回り大きく形成されている。そして、前面壁部８１の背部には２本のリブ８２が長手方向に形成され（図９参照）、このリブ８２の幅方向中央部には、長手方向に延びる長孔８６が形成されている（図１、図２及び図９参照）。上ステー７と下ステー８との固定は、下ステー８の前方から、長孔８６及び上ステー７のボルト孔７３にボルト７４のねじ部が挿通され、ボルト孔７３の背部にナットを配置して締結することにより、上ステー７を長孔８６の任意の位置で固定できるように構成されている。
【００４０】
また、下ステー８の下端部には、図１、図２及び図４に示すように、ステー５の下端部を前座板２に取り付けるための第２取付部８４が形成されている。この第２取付部８４は、図４に示すように、下ステー８の下端部の側面壁部８３を方形状に切り欠いて段差８５を形成することにより、側面壁部８３の高さを低くした低壁部８３ａを形成したものである。さらに、第２取付部８４は、低壁部８３ａを前座板２の取付壁部２１の前方に載置し、この低壁部８３ａを介して前面壁部８１の端部を前座板２の取付壁部２１に固定するように構成されている。そして、低壁部８３ａの高さとリブ８２の高さとを揃えている。また、下ステー８の固定のために、第２取付部８４の前面壁部８１にはボルト孔８７が形成されている。
【００４１】
第２取付部８４を固定するときは、溝部２４のスリット２４ａを前方から覆うように、低壁部８３ａ及びリブ８２を介して第２取付部８４の前面壁部８１を溝部２４の前方に載置する。このとき、溝部２４の摺動部２４ｂ内に頭部２５ｂが収納されたボルト２５のねじ部２５ａを、下ステー８のボルト孔８７に挿通させ、前方からナット２６を締結する。これにより、下ステー８の第２取付部８４、すなわち、ステー５の下端部が前座板２に取り付けられる。また、このような取付状態においては、第２取付部８４の段差８５を成す側面壁部８３の下端面が連結壁部２３に当接して支持されるように形成されている。
【００４２】
支持部材３を構成する補強部材６は、図１及び図２に示すように、断面Ｌ字状の型材から形成されている。また、補強部材６は、後端側がベース４の後端部における側面壁部４２に回動可能に取り付けられるとともに、前端側が下ステー８の下端部における側面壁部８３に回動可能に取り付けられている。したがって、本実施の形態における支持部材３は、ベース４の前端部と下ステー８の下端部との距離が一定に保持される。
【００４３】
上記のように構成される後座板１、前座板２、ベース４、上ステー７、下ステー８、及び補強部材６は、それぞれ長手方向に押出されるアルミニウム製押出成型品として形成されている。
【００４４】
以上のように構成された屋根置台は、次のようにして組み立てられる。
まず、支持部材３を予め一対それぞれ組み立てる。この組立は、先ず、ベース４の前端部に上ステー７の上端部を回動可能に連結する。また、補強部材６の後端側をベース４の後端部の側面壁部４２に回動可能に固定し、補強部材６の前端側を下ステー８の下端部の側面壁部８３に回動可能に固定する。次いで、組み立てた支持部材３の後端部、つまりベース４の後端部を後座板１に取り付けるとともに、支持部材３の前端部、つまり下ステー８の下端部を前座板２に取り付ける。
【００４５】
ベース４の後端部（つまり第１取付部４６）の取付は、図１〜図３に示すように、まず、ベース４取付用のボルト１５のねじ部１５ａが上方に突出するように、後座板１の溝部１４の摺動部１４ｂにボルト１５の頭部１５ｂを収納し、所定位置まで摺動させる。次に、ベース４後端部の第１取付部４６における平面壁部４１をリブ４３及び低壁部４２ａを介して後座板１の取付壁部１１に載置する。このとき第１取付部４６の平面壁部４１のボルト孔４８にボルト（六角ボルト）１５のねじ部１５ａを挿通させる。次いで、上方からナット１６を締結する。このようにして、一対の支持部材３の後端部（つまり、第１取付部４６）を後座板１に仮固定する。このように仮固定されると、第１取付部４６におけるベース４の側面壁部４２の下端面は、第１取付部４６近傍の部分が接触壁部１２の第１突出部１７に当接して支持される。また、第１取付部４６の段差４７を成すベース４の側面壁部４２の後端面が後座板１の連結壁部１３の外表面に当接して支持される。
【００４６】
また、支持部材３の前端部（つまり第２取付部８４）の取付は、図１、図２及び図４に示すように、まず、下ステー８取付用のボルト（六角ボルト）２５のねじ部２５ａが前方に突出するように、前座板２の溝部２４にボルト２５の頭部２５ｂを収納し、所定位置まで摺動させる。次に、下ステー８の第２取付部８４における前面壁部８１を、リブ８２及び低壁部８３ａを介して前座板２の取付壁部２１に沿わせるように載置する。このとき第２取付部８４の前面壁部８１のボルト孔８７にボルト２５のねじ部２５ａを挿通させる。次いで、前方からナット２６を締結する。このようにして、一対の支持部材３の前端部（つまり、第２取付部８４）を前座板２に仮固定する。このように仮固定されると、第２取付部８４の段差８５を成す側面壁部８３の下端面が前座板２の連結壁部２３に当接して支持される。
【００４７】
以上のようにして仮組みされた屋根置台を屋根Ｒの上に持ち上げ、所定の位置に後座板１及び前座板２が配置されるように屋根置台を載置する。次いで、後座板１及び前座板２の屋根に接触する部分に屋根足１９，２９を取り付ける。屋根足１９，２９は、接触壁部１２，２２の第１突出部１７，２７及び第２突出部１８，２８に屋根足の端部の係合部を係合させて取り付けられる。次に、図１に示すように、後座板１を針金９１により建築物の壁面に繋留して保持する。針金９１の一端はヒートン釘９２により建築物の壁面に固定され、他端は後座板１に巻き付けて固定される。そして、屋根Ｒの傾斜に対応してベース４が水平に保持されるように、ステー５の高さを調節する。また、支持部材３が所定位置に固定されているかを確認する。以上のように組み立てられ、据え付けられた屋根置台には、ベース４の上面に防振材４４が固定される。
【００４８】
図２は屋根Ｒの傾斜角度が大きいときの側面図であり、図１０が屋根Ｒの傾斜角度が小さいときの側面図である。これら図から分かるように、ステー５の長さを大きくすることにより、傾斜角度の大きい屋根Ｒに対応することができる。このとき、後座板１は、ベース４が水平に保持されることから、取付壁部１１が常に水平方向となり、側方から見た長手方向を軸とする水平面に対する傾斜角度が不変となっている。しかし、屋根Ｒの傾斜角度が変化すると、接触壁部１２における屋根Ｒとの接触部が変化する。一方、後座板１と同一のものを使用している前座板２は、ステー５の取付角度の変化に対応して、側方から見た長手方向を軸とする水平面に対する傾斜角度が変化する。すなわち、前座板２は、屋根Ｒの傾斜角度が大きいときは取付壁部２１の平面部の水平面に対する傾斜角度が大きくなり、屋根Ｒの傾斜角度が小さいときは取付壁部２１の平面部の水平面に対する傾斜角度が小さくなるように、長手方向を軸として回転する。このため、前座板２の接触壁部２２における屋根との接触部も屋根Ｒの傾斜角度により変化している。
【００４９】
以上のように構成されたエアコン室外機の屋根置台によれば、次の効果を奏することができる。
（１）支持部材３の後端部は、後座板１の溝部１４に頭部１５ｂが収納されたボルト１５により固定されるものであって、回動可能な構造とする必要がないので、支持部材３の後端部の取付構造が簡略化される。特に、後座板１は、取付壁部１１の上側表面が平面状であって、溝部１４が筒状体の内部側となるように形成されているので、支持部材の後端の取付構造を簡略化することができる。
【００５０】
（２）また、後座板１は支持部材３取付用の溝部１４を一体的に形成した筒状体に形成されているので、後座板１の強度が向上し、後座板１の変形の可能性が軽減される。また、後座板１は、支持部材３の後端部を取りつける取付壁部１１と、屋根Ｒとの接触部を備えている接触壁部１２と、取付壁部１１の前端部と接触壁部１２の前端部とを連結する連結壁部１３とにより筒状体に形成されているので、簡略化された構成で強度を大きくすることができる。特に、後座板１は、溝部１４が取付壁部１１と連結壁部１３との角部に形成され、これら取付壁部１１及び連結壁部１３と溝部１４を形成する壁部とが一体化されているので、後座板１の強度がより一層向上する。
【００５１】
（３）溝部を、ボルトの頭部を摺動部に収納し、ボルトのねじ部をスリットから上方に突出させながら、ボルトを容易に長手方向に移動させることができる構造とするとともに、ボルトが摺動部から外れない各部寸法として構成としているので、ボルトのねじ部をスリットから上方に突出させながら、ボルトを容易に長手方向に移動させることができる。
【００５２】
（４）後座板１は、屋根足１９を後座板１の接触壁部１２の第１突出部１７と第２突出部１８とに係合して取り付けるようにしているので、複雑な係合部を形成することなく屋根足１９を取り付けることができる。
【００５３】
（５）溝部１４を取付壁部１１の長手方向の全長に亘って形成して、長手方向を押出方向として後座板１を押出成型しているので、見栄えが向上する。また、後座板１と共に、前座板２及び支持部材３を構成するベース４、ステー５、補強部材６も総てアルミニウム材料を使用した押出成型としているので、軽量かつ見栄えが良好となる。
【００５４】
（６）前座板２には、前後の向きを変更して後座板１そのものを使用しているので、部品点数が少なくなる。これにより、管理工数が削減されるので、製造コストを低減することができる。
【００５５】
（７）第１取付部４６は、ベース４の後端部において、側面壁部４２に高さ方向の段差４７を形成することにより、ベース４の端部を後座板１に載置する構造として形成されているので、簡略な構造とすることができる。特に、第１取付部４６におけるベース４の端部と後座板１の固定は、後座板１の溝部１４の摺動部１４ｂに頭部１５ｂが収納されたボルト１５により固定されるので、回動機構のない簡略な構造にすることができる。さらに、溝部１４は、頭部１５ｂを摺動部１４ｂに収納し、ねじ部１５ａをスリット１４ａから上方向外側に突出させた状態で、ボルト１５を長手方向に摺動可能としているので、後座板１の長手方向において支持部材３を任意の位置に固定することもできる。
【００５６】
（８）同様に、第２取付部８４も、ステー５の下端部において、下ステー８の側面壁部に高さ方向の段差８５を形成することにより、ステー５の下端部を前座板２の前方に載置する構造として形成されているので、簡略な構造とすることができる。特に、第２取付部８４における下ステー８の下端部と前座板２の固定は、前座板２の溝部２４の摺動部２４ｂに頭部２５ｂが収納されたボルト２５により固定されるので、回動機構のない簡略な構造にすることができる。さらに、溝部２４は、頭部２５ｂを摺動部２４ｂに収納し、ねじ部２５ａをスリット２４ａから上方向外側に突出させた状態で、ボルト２５を長手方向に摺動可能としているので、前座板２の長手方向において支持部材３を任意の位置に固定することもできる。
【００５７】
（９）第１取付部４６では、ベース４に作用する荷重が、第１取付部４６の低壁部４２ａ及び平面壁部４１を介して取付壁部１１で支持され、また、側面壁部４２の下端面を介して接触壁部１２で支持されるとともに、側面壁部４２の後端面を介して連結壁部１３によっても支持される。このため、第１取付部４６に段差４７を形成したことによるベース４の後端部の強度の低下は、従来技術において問題となっていたが、本発明では回避される。
【００５８】
（１０）同様に、第２取付部８４においても、ステー５に作用する荷重が、第２取付部８４の低壁部８３ａ及び前面壁部８１を介して前座板２の取付壁部２１で支持されるとともに、側面壁部８３の下端面を介して連結壁部２３によっても支持される。このため、第２取付部８４を形成するための段差８５によるステー５の下端部の強度の低下は、回避される。
【００５９】
（１１）ベース４の平面壁部４１の下面側に、下方に突出して長手方向に延びるリブ４３を設けているので、ベース４の強度が向上し、さらに、第１取付部４６を形成するための段差４７付近の強度も向上する。さらに、ベース４のリブ４３の高さと、低壁部４２ａの高さとを揃えているので、第１取付部４６において、ベース４に掛かる荷重をリブ４３及び低壁部４２ａにより略均一に支持することができる。これにより、第１取付部４６を形成するための段差４７付近の強度がより一層向上する。
【００６０】
（１２）下ステー８の前面壁部８１の後面側に、後方に突出するリブ８２を形成しているので、下ステー８の強度が向上し、さらに、第２取付部８４を形成するための段差８５付近の強度も向上する。また、リブ８２の高さと低壁部８３ａの高さとを揃えたので、第２取付部８４において、ステー５に掛かる荷重をリブ８２及び低壁部８３ａにより均一に支持することができる。したがって、ステー５の強度が向上し、さらに、第２取付部８４を形成するための段差８５付近の強度も向上する。
【００６１】
（実施の形態２）
次に、実施の形態２について、図１１に基づき説明する。ここで、図１１は、実施の形態２に係る屋根置台を建築物壁体への直付した状態における後座板周りの断面図である。なお、この図面において実施の形態１と共通する構成要素には、実施の形態１と同一の符号を使用するとともに、その説明を省略する。
【００６２】
実施の形態２に係る屋根置台は、後座板１の形状を一部変更して、この屋根置台を建築物の壁面に直付けすることができるようにしたものである。具体的には、図１１に示すように、接触壁部１２の第２突出部１８を上方に延長し、この延長部に、直付けするときに使用するヒートン釘９２用の孔を形成したものである。このようにすれば、図１１に示すように、第２突出部１８を上方に伸ばすという簡単な構成で、後座板１を建築物の壁面に直接取り付けることができる。また、この実施の形態２は、前述の実施の形態１における作用効果と同一の作用効果を奏することができる。
【００６３】
（実施の形態３）
次に、実施の形態３について、図１２に基づき説明する。ここで、図１２は、実施の形態３に係る屋根置台の据付状態における後座板周りの断面図である。なお、この図面において実施の形態１と共通する構成要素には、実施の形態１と同一の符号を使用するとともに、その説明を省略する。
【００６４】
実施の形態３に係る屋根置台は、後座板１を変更したものである。実施の形態３における後座板１は実施の形態１における後座板１と略同一の形状である。実施の形態１では、溝部１４を構成する摺動部１４ｂにベース４を取り付ける締結具としてのボルト１５の頭部１５ｂが収納されていた。これに対し、実施の形態３では、ナット１６が摺動部１４ｂに摺動可能に収納され、このナット１６に対し溝部１４の上方外側からボルト１５が締結されるように構成されている。
【００６５】
より具体的には、図１２に示すように、溝部１４の摺動部１４ｂには、ボルト１５に締結されるナット１６がスリット１４ａからはみ出さないように摺動可能に収納されている。また、この摺動部１４ｂの下方には、ナット１６に締結されるボルト１５のねじ部１５ａの先端部を収納するための収納突部１４ｃが形成されている。
【００６６】
このために、実施の形態３においては、摺動部１４ｂの幅寸法は、ナット１６の平行側面間の長さより大きく、ナット１６の対角間の長さより小さく形成されている。また、摺動部１４ｂの高さ寸法は、ナット１６の厚みより大きく、ナット１６の平行側面間の長さより小さく形成されている。なお、この条件を満足することを前提として、摺動部１４ｂの幅寸法及び高さ寸法を実施の形態１の場合と同一とすることができる。また、スリット１４ａの幅寸法は、ボルト１５のねじ部１５ａを貫通させ得る寸法であればよく、基本的に実施の形態１の場合と同一でよい。
【００６７】
この実施の形態３において、後座板１に支持部材３を取り付ける場合は、先ず第１取付部４６の平面壁部４１のボルト孔４８に対し、上方からボルト（六角ボルト）１５のねじ部１５ａを挿通させる。次いで、このボルト１５のねじ部１５ａの先端部に、つまりボルト１５の頭部１５ｂとの間に距離をおいてナット１６を緩く仮締結する。この状態にしたナット１６を摺動部１４ｂの端部から挿入して所定位置まで摺動させ、その位置でボルト１５とナット１６とを締結する。これにより、支持部材３が後座板１に対し所定位置に固定される。
【００６８】
このように構成された実施の形態３にかかるエアコン室外機の屋根置台は、ボルトの頭部を摺動可能に摺動部１４ｂに摺動することに代えて、ナット１６を摺動部に摺動可能に収納したことによる構造及び取付手順が上記のように部分的に相違するが、この点を置き換えることにより前述の実施の形態１における作用効果と同一の作用効果を奏することができる。
【００６９】
以上説明した本実施の形態に係るエアコン室外機の屋根置台は、一例を示すものであり、本発明の範囲内において適宜変更できるものである。例えば、次のように変形することができる。
【００７０】
（１）上記各実施の形態において、後座板１の曲面部１２ｂ及び前座板２の曲面部２２ｂは、円弧状に形成されているが、これに限るものではない。曲面部１２ｂ、２２ｂは、長手方向の軸を中心とする水平方向に対する後座板１又は前座板２の傾斜角度を、屋根Ｒの傾斜角度に対応して屋根Ｒ上で転がるように変更できるものであればよく、楕円等の他の曲面でもよい。
【００７１】
（２）上記各実施の形態において、後座板１の連結壁部１３は、取付壁部１１の前端から接触壁部１２の前端に対し鉛直に形成される構成とされているが、取付壁部１１の前端が接触壁部１２の前端と一致していないような場合には斜面で形成してもよい。また、連結壁部１３と取付壁部１１或いは接触壁部１２との連結位置も正確に端部である必要はなく、端部近傍などの他の位置でもよい。前座板２についても同様である。
【００７２】
（３）上記各実施の形態において、後座板１は、溝部１４が筒状体内の取付壁部１１と連結壁部１３との角部に形成されているが、溝部１４は取付壁部１１の幅方向の中間に設けられたものとしてもよい。ただし、筒状体の強度の面からは角部に設ける方が好ましい。
【００７３】
（４）上記各実施の形態において、前座板２を後座板１と異なる構造にすることもできる。例えば、上記実施の形態１においては、下ステー８の下端部の側面壁部８３の後端面が、前座板２の第１突出部２７に当接していないが、前座板２の寸法を後座板１と同一のものではない異なる寸法のものとすることにより、この後端部を当接させるようにすることもできる。このようにすれば、第２取付部８４の段差８５付近の強度を向上させることができる。
【００７４】
（５）実施の形態２においては、第２突出部１８を上方に延長してヒートン釘９２用の孔を形成しているが、第２突出部１８とは別体に形成した取付板を第２突出部１８に取り付け、この別体の取付板にヒートン釘９２用の孔を形成するようにしてもよい。
【００７５】
（６）前記各実施の形態において、後座板１、前座板２、ベース４、ステー５及び補強部材６をアルミニウム又はアルミニウム合金製ではなく、他の軽金属材料や鉄系金属製とすることもできる。
【００７６】
（７）上記各実施の形態において、ベース４とステー５とは別物として形成されているが、ステー５部分をベース４の脚部として一体的に、又は組立式に形成することもできる。また、この場合において、脚部は高さ可変とすればよい。
【００７７】
（８）上記各実施の形態において、ベース４は、前記実施の形態では平面状かつ帯状の平面壁部４１の両側に鉛直下方に形成された側面壁部４２を形成したものであるが、幅方向の片方に側面壁部４２を形成したものでもよい、また、側面壁部４２は、鉛直ではなく、斜めに傾斜しているものでもよい。また、両側の側面壁部４２の高さが同一のものでなくてもよい。
【００７８】
（９）上記各実施の形態において、上ステー７及び下ステー８は、前記実施の形態では断面形状をＵ字型としているが、前面壁部７１，８１の幅方向の一方の側部に側面壁部８３を形成したＬ字型などの他の形状のものでもよい。また、前面壁部７１、８１に対し垂直の側面壁部８３でなくてもよく、斜めに傾斜しているものでもよい。また、両側の側面壁部８３の高さが同一のものでなくてもよい。
【００７９】
（１０）上記各実施の形態において、ベース４、上ステー７及び下ステー８にリブ４３，７２，８２が２本形成されているが、このリブ４３，７２，８２は１本でも３本以上でもよい。また、省略することも可能である。
【００８０】
（１１）前記各実施の形態において、エアコン室外機を、エアコン室外機の長手方向が屋根Ｒの傾斜方向に直交する方向に設置される例で示しているが、エアコン室外機を、エアコン室外機の長手方向が屋根Ｒの傾斜方向に一致する方向に設置する屋根置台に変更することもできる。
【００８１】
（１２）実施の形態３は、後座板１のみが実施の形態１と異なるものを示しているが、実施の形態３に示した後座板１を、各実施の形態における前座板２として使用することもできる。
【産業上の利用可能性】
【００８２】
本発明に係るエアコン室外機の屋根置台は、屋根の上に設置されるエアコン室外機の置台として利用される。エアコン室外機は、家庭用、業務用を問わない。
【図面の簡単な説明】
【００８３】
【図１】本発明の実施の形態１に係るエアコン室外機の屋根置台の据付状態の斜視図である。
【図２】同屋根置台の側面図であって、屋根の傾斜角度が大きい屋根上に据え付けられた状態のものである。
【図３】同屋根置台における後座板周りの断面図である。
【図４】同屋根置台における前座板周りの断面図である。
【図５】同屋根置台における後座板の正面図である。
【図６】同屋根置台における後座板の側面図である。
【図７】同屋根置台におけるベースの断面図である。
【図８】同屋根置台における上ステーの断面図である。
【図９】同屋根置台における下ステーの断面図である。
【図１０】同屋根置台の側面図であって、屋根の傾斜角度が小さい屋根上に据え付けられた状態のものである。
【図１１】実施の形態２に係る屋根置台を建築物壁体への直付した状態における後座板周りの断面図である。
【図１２】実施の形態３に係る屋根置台の据付状態における後座板周りの断面図である。
【図１３】従来例に係るエアコン室外機の屋根置台の据付状態の斜視図である。
【図１４】同屋根置台における後座板周りの断面図である。
【図１５】同屋根置台における前座板周りの断面図である。
【符号の説明】
【００８４】
Ｒ…屋根、１…  後座板、２…前座板、３…支持部材、４…ベース、５…ステー、１１…取付壁部、１２…接触壁部、１３…連結壁部、１４…溝部、１４ａ…スリット、１４ｂ…摺動部、１５…ボルト、１５ａ…ねじ部、１５ｂ…頭部、１７…第１突出部、１８…第２突出部、１９…屋根足。
【図１】
0004745805.tif 000002
【図２】
0004745805.tif 000003
【図３】
0004745805.tif 000004
【図４】
0004745805.tif 000005
【図５】
0004745805.tif 000006
【図６】
0004745805.tif 000007
【図７】
0004745805.tif 000008
【図８】
0004745805.tif 000009
【図９】
0004745805.tif 000010
【図１０】
0004745805.tif 000011
【図１１】
0004745805.tif 000012
【図１２】
0004745805.tif 000013
【図１３】
0004745805.tif 000014
【図１４】
0004745805.tif 000015
【図１５】
0004745805.tif 000016